(57)【要約】【課題】ハイブリッド車における電力と燃料の両方の使用を考慮した支援を可能とするエネルギー源管理装置、エネルギー源管理方法を提供する。【解決手段】バッテリ１４に蓄電された電力をエネルギー源として回転するモータ１８及び燃料タンク７に貯留されたエネルギー源である燃料を燃焼させて動力を発生させる内燃機関８を備えると共に、それらの少なくとも一つを駆動源に利用して走行可能な車両に搭載されるナビゲーションシステム１２であって、制御部３０は、バッテリ１４に蓄電された残電力量と、入力された消費許容燃料量とを取得し、残電力量及び消費許容燃料量に基づいて車両が目的地まで走行する際に必要な必要充電時間を算出し、算出した必要充電時間をディスプレイ３７に表示させる。【選択図】図１
2012136042.tif 000002
【特許請求の範囲】
【請求項１】
蓄電池に蓄電された電力をエネルギー源として回転するモータ及び燃料タンクに貯留されたエネルギー源である燃料を燃焼させて動力を発生させる内燃機関を備えると共に、それらの少なくとも一つを駆動源に利用して走行可能な車両に搭載されるエネルギー源管理装置であって、
前記蓄電池に蓄電された電力量を残電力量として取得する残電力量取得手段と、
入力手段によって入力された消費許容燃料量を取得する消費許容燃料量取得手段と、
前記残電力量及び前記消費許容燃料量に基づいて前記車両が目的地まで走行する際に必要な必要充電時間を算出する必要充電時間算出手段と、
該必要充電時間算出手段が算出した前記必要充電時間を報知部に報知させる報知制御手段と
を備えることを特徴とするエネルギー源管理装置。
【請求項２】
前記燃料タンク内の前記燃料の残量を残燃料量として取得する残燃料量取得手段と、
前記入力手段によって入力された補給許容燃料量を取得する補給許容燃料量取得手段と
をさらに備え、
前記必要充電時間算出手段は、前記残電力量、前記残燃料量、及び前記補給許容燃料量に基づいて前記車両が目的地まで走行する際に必要な必要充電時間を算出することを特徴とする請求項１に記載のエネルギー源管理装置。
【請求項３】
前記車両が走行する道路種別と対応付けて単位距離あたりに消費する電力量及び燃料量を記憶する記憶手段と、
前記目的地までの経路を取得する経路取得手段と
をさらに備え、
前記必要充電時間算出手段は、前記経路を構成する道路区間を特定し、特定された各道路区間の道路種別を判断し、前記記憶手段に記憶された前記電力量及び前記燃料量に基づいて前記必要充電時間を算出することを特徴とする請求項１又は請求項２に記載のエネルギー源管理装置。
【請求項４】
前記車両の走行に伴って消費する電力量及び燃料量を道路区間毎に記憶する記憶手段と、
前記目的地までの経路を取得する経路取得手段と
をさらに備え、
前記必要充電時間算出手段は、前記経路を構成する道路区間を特定し、前記記憶手段に記憶された前記電力量及び前記燃料量に基づいて前記必要充電時間を算出することを特徴とする請求項１〜請求項３のうち何れか一項に記載のエネルギー源管理装置。
【請求項５】
蓄電池に蓄電された電力をエネルギー源として回転するモータ及び燃料タンクに貯留されたエネルギー源である燃料を燃焼させて動力を発生させる内燃機関を備えると共に、それらの少なくとも一つを駆動源に利用して走行可能な車両において使用する前記電力と前記燃料とを管理するエネルギー源管理方法であって、
前記蓄電池に蓄電された電力量を残電力量として取得する残電力量取得段階と、
入力手段によって入力された消費許容燃料量を取得する消費許容燃料量取得段階と、
前記残電力量及び前記消費許容燃料量に基づいて前記車両が目的地まで走行する際に必要な必要充電時間を算出する必要充電時間算出段階と、
該必要充電時間算出段階において算出した前記必要充電時間を報知部に報知させる報知制御段階と
を備えることを特徴とするエネルギー源管理方法。
【発明の詳細な説明】
【技術分野】
【０００１】
本発明は、電力をエネルギー源として回転するモータ及びエネルギー源としての燃料を燃焼させて動力を発生させる内燃機関のうち少なくとも一方を駆動源に利用して走行するハイブリッド車に搭載されるエネルギー源管理装置、エネルギー源管理方法に関する。
【背景技術】
【０００２】
従来から、電力（エネルギー源）を蓄電池に蓄電すると共に、蓄電した電力をモータに供給して走行する電気自動車が知られている。このような電気自動車には、例えば特許文献１に記載されるように、蓄電池に蓄電された電力量に基づいて充電の必要性を報知するナビゲーションシステムを搭載したものがある。
【０００３】
すなわち、このナビゲーションシステムは、ユーザによって目的地が設定されると、まず現在地（現在位置）から目的地まで走行するのに必要な電力量を推定する。そして、必要な電力量よりも蓄電池に蓄電されている電力量の方が少ないと判断した場合に、使用者に対して充電を促していた。
【先行技術文献】
【特許文献】
【０００４】
【特許文献１】特開２００３−２９４４６３号公報
【発明の概要】
【発明が解決しようとする課題】
【０００５】
ところで、特許文献１のナビゲーションシステムの場合は、蓄電池に蓄電された電力量では目的地まで走行することができない場合に充電を促していた。しかし、燃料（エネルギー源）を燃焼させて動力を発生させる内燃機関とモータとを搭載したハイブリッド車では、電力量が不足する場合であっても、内燃機関を利用して目的地まで走行することが可能である。そのため、使用者が必ずしも電力のみで目的地まで走行することを希望するとは限らず、電力と燃料の両方を考慮した支援が望まれている。すなわち、特許文献１のナビゲーションシステムのように蓄電池に蓄電された電力量では目的地まで走行することができない場合に充電を促すことが、使用者にとって適切な支援とならない可能性がある。
【０００６】
本発明は、上記問題点に鑑みてなされたものであり、その目的はハイブリッド車における電力と燃料の両方の使用を考慮した支援を可能とするエネルギー源管理装置、エネルギー源管理方法を提供することにある。
【課題を解決するための手段】
【０００７】
上記目的を達成するために、本発明に係るエネルギー源管理装置は、蓄電池に蓄電された電力をエネルギー源として回転するモータ及び燃料タンクに貯留されたエネルギー源である燃料を燃焼させて動力を発生させる内燃機関を備えると共に、それらの少なくとも一つを駆動源に利用して走行可能な車両に搭載されるエネルギー源管理装置であって、前記蓄電池に蓄電された電力量を残電力量として取得する残電力量取得手段と、入力手段によって入力された消費許容燃料量を取得する消費許容燃料量取得手段と、前記残電力量及び前記消費許容燃料量に基づいて前記車両が目的地まで走行する際に必要な必要充電時間を算出する必要充電時間算出手段と、該必要充電時間算出手段が算出した前記必要充電時間を報知部に報知させる報知制御手段とを備えることを要旨とする。
【０００８】
上記構成によれば、車両が目的地まで走行する際に必要な必要消費燃料量を使用者が入力した消費許容燃料量以下とするために必要な必要充電時間を報知することができる。したがって、使用者は、車両を目的地まで走行させる前に、自らが希望する消費許容燃料量に合わせた充電を実施することができるため、ハイブリッド車における電力と燃料の両方の使用を考慮した支援が可能となる。
【０００９】
また、本発明に係るエネルギー源管理装置は、前記燃料タンク内の前記燃料の残量を残燃料量として取得する残燃料量取得手段と、前記入力手段によって入力された補給許容燃料量を取得する補給許容燃料量取得手段とをさらに備え、前記必要充電時間算出手段は、前記残電力量、前記残燃料量、及び前記補給許容燃料量に基づいて前記車両が目的地まで走行する際に必要な必要充電時間を算出することを要旨とする。
【００１０】
上記構成によれば、車両が目的地まで走行する際に必要となる必要補給燃料量を使用者が入力した補給許容燃料量以下とするために必要な必要充電時間を報知することができる。すなわち、使用者は、補給許容燃料量か消費許容燃料量のいずれかを入力することによって必要充電時間を知ることができるため、利便性を向上させることができる。
【００１１】
また、本発明に係るエネルギー源管理装置は、前記車両が走行する道路種別と対応付けて単位距離あたりに消費する電力量及び燃料量を記憶する記憶手段と、前記目的地までの経路を取得する経路取得手段とをさらに備え、前記必要充電時間算出手段は、前記経路を構成する道路区間を特定し、特定された各道路区間の道路種別を判断し、前記記憶手段に記憶された前記電力量及び前記燃料量に基づいて前記必要充電時間を算出することを要旨とする。
【００１２】
上記構成によれば、単位距離あたりに消費する電力量及び燃料量に基づいて必要充電時間を容易に算出することができる。また、消費する電力量及び燃料量は道路種別と対応付けて記憶されているため、道路種別と関係なく消費する電力量及び燃料量を記憶している場合と比べて算出される必要充電時間の信頼性を向上させることができる。
【００１３】
また、本発明に係るエネルギー源管理装置は、前記車両の走行に伴って消費する電力量及び燃料量を道路区間毎に記憶する記憶手段と、前記目的地までの経路を取得する経路取得手段とをさらに備え、前記必要充電時間算出手段は、前記経路を構成する道路区間を特定し、前記記憶手段に記憶された前記電力量及び前記燃料量に基づいて前記必要充電時間を算出することを要旨とする。
【００１４】
上記構成によれば、道路区画毎に記憶された車両の走行に伴って消費する電力量及び燃料量に基づいて必要充電時間を算出することにより、車両が目的地まで走行する際に必要な必要補充電時間の信頼性をより向上させることができる。
【００１５】
一方、本発明に係るエネルギー源管理方法は、蓄電池に蓄電された電力をエネルギー源として回転するモータ及び燃料タンクに貯留されたエネルギー源である燃料を燃焼させて動力を発生させる内燃機関を備えると共に、それらの少なくとも一つを駆動源に利用して走行可能な車両において使用する前記電力と前記燃料とを管理するエネルギー源管理方法であって、前記蓄電池に蓄電された電力量を残電力量として取得する残電力量取得段階と、入力手段によって入力された消費許容燃料量を取得する消費許容燃料量取得段階と、前記残電力量及び前記消費許容燃料量に基づいて前記車両が目的地まで走行する際に必要な必要充電時間を算出する必要充電時間算出段階と、該必要充電時間算出段階において算出した前記必要充電時間を報知部に報知させる報知制御段階とを備えることを要旨とする。
【００１６】
この構成によれば、上記エネルギー源管理装置に係る発明と同様の作用効果を奏し得る。
【図面の簡単な説明】
【００１７】
【図１】駆動システムとナビゲーションシステムとを示すブロック図。
【図２】リンク消費量データを示す表。
【図３】制御部が実行する消費量記憶ルーチンを示すフローチャート。
【図４】充電案内ルーチンを示すフローチャート。
【図５】想定消費燃料量算出ルーチンを示すフローチャート。
【図６】道路消費量データを示す表。
【図７】（ａ）は補給燃料量及び消費燃料量を報知するディスプレイの画面図、（ｂ）は数値を変更した場合のディスプレイの画面図。
【発明を実施するための形態】
【００１８】
以下、本発明を、モータと内燃機関とを駆動源として備え、外部電源と接続されることによりバッテリの充電が可能なプラグインハイブリッド自動車に搭載されるナビゲーションシステムに具体化した一実施形態を図１〜図７に従って説明する。
【００１９】
図１に示すように、プラグインハイブリッド自動車は、車両を走行させるための駆動システム１１と、車両に搭載されたエネルギー源管理装置としてのナビゲーションシステム１２とを備えている。
【００２０】
まず、駆動システム１１は、燃料（エネルギー源）を貯留可能な燃料タンク７と、燃料タンク７から供給された燃料を燃焼させることにより動力を発生させる内燃機関８とを備えている。なお、燃料タンク７には、燃料タンク７内に貯留された燃料の残量（残燃料量）を検出するための残量検出センサ９が接続されている。
【００２１】
また、駆動システム１１は、電池モジュールを有する蓄電池としてのバッテリ１４と、外部からバッテリ１４に充電を行うための充電コネクタ１５とを備えている。そして、このバッテリ１４は、充電コネクタ１５と一般家庭用のコンセントや充電スタンドとをケーブルなどの充電機器を介して接続することにより、商用電源などの外部電源から充電が可能になっている。
【００２２】
また、バッテリ１４には、インバータ１６がシステムメインリレー１７を介して高電圧大電流用の電線等により接続されている。さらに、インバータ１６には、モータ１８が高電圧大電流用の電線等により接続されている。そのため、バッテリ１４から出力された直流電流は、インバータ１６によって交流電流に変換された後、モータ１８に供給される。すなわち、モータ１８は、バッテリ１４に蓄電された電力（エネルギー源）が供給されることにより回転して動力を発生させる。そのため、車両はモータ１８及び内燃機関８の双方を駆動源として備えたことにより、それらの少なくとも一つの駆動力を利用して走行可能となっている。
【００２３】
さらに、システムメインリレー１７は、コントロールユニット１９の制御により、高電圧回路の接続と遮断とを切り替える。すなわち、コントロールユニット１９は、アクセルポジションセンサ２０から出力されたアクセル開度、及びシフトポジションセンサ２１から出力されたシフトポジションや各種センサ（図示略）からの検出信号に基づき、モータトルク等を求める。そして、コントロールユニット１９は、求めたモータトルク等に応じてインバータ１６等に要求値を出力するとともに、内燃機関８の駆動を制御することにより駆動システム１１の駆動力を制御する。
【００２４】
また、駆動システム１１に備えられたバッテリコンピュータ２２は、図示しない電流センサから取得した電流値に基づき、バッテリ１４の充放電電流を積算してバッテリ１４に蓄電された電力量（残電力量）を示すＳＯＣ（State of Charge；充電状態）値を算出する。そして、バッテリコンピュータ２２は、算出したＳＯＣ値をコントロールユニット１９に出力する。また、コントロールユニット１９には、残量検出センサ９が検出した残燃料量が出力されるようになっている。
【００２５】
そして、コントロールユニット１９は、取得したＳＯＣ値及び残燃料量に基づいて、内燃機関８とモータ１８とのうち何れの駆動源を利用して車両を走行させるかを判断する。なお、本実施形態では、コントロールユニット１９は、ＳＯＣ値が充電閾値以上であるか否かを判断し、ＳＯＣ値が充電閾値以上ある場合には、モータ１８のみを駆動源に利用する電気走行モードで車両を走行させると判断する。一方、ＳＯＣ値が充電閾値未満である場合には、コントロールユニット１９は、少なくとも内燃機関８を駆動源に利用するハイブリッド走行モードで車両を走行させると判断する。ちなみに、充電閾値とは、車両の走行モードを切り替える際に基準となる閾値であって、ハイブリッド走行モードにおいて使用する電力量や車載設備の使用によって消費される電力量、及びバッテリ１４の劣化を考慮して設定されている。
【００２６】
さらに、コントロールユニット１９は、ナビゲーションシステム１２のナビコントロールユニット２４にＣＡＮ（Controller Area Network）通信等により接続されている。そして、コントロールユニット１９は、バッテリコンピュータ２２から取得したＳＯＣ値と、残量検出センサ９から取得した残燃料量とをナビコントロールユニット２４に出力する。なお、本実施形態のナビゲーションシステム１２は、取得したＳＯＣ値と残燃料量に基づいてバッテリ１４の充電を案内するとともに、目的地が設定された場合には、現在位置から目的地までの経路を案内するようになっている。
【００２７】
具体的には、ナビコントロールユニット２４は、自車位置演算部２５、ＧＰＳ受信部２６、経路探索部２７、残量管理部２８、地図描画部２９、制御部３０、記憶手段としての記憶部３１を有している。
【００２８】
まず、自車位置演算部２５は、ＧＰＳ（Global Positioning System）衛星からＧＰＳ受信部２６が受信した、緯度・経度等の座標を示す位置検出信号を入力して、電波航法により車両の絶対位置を算出する。また、自車位置演算部２５は、自車に設けられた車速センサ３３及びジャイロ３４から車速パルス、角速度をそれぞれ取得する。そして、自車位置演算部２５は、車速パルス及び角速度を用いる自律航法により、基準位置からの相対位置を算出し、電波航法で算出した絶対位置と組み合わせて車両の現在位置を特定する。
【００２９】
そして、経路探索部２７は、入力手段としてのボタン３６の操作に基づいて設定された目的地を取得してメモリ（図示略）に一時記憶するとともに、目的地までの経路を探索する。
【００３０】
さらに、残量管理部２８は、コントロールユニット１９から出力されたＳＯＣ値（残電力量）と残燃料量を取得し、メモリ（図示略）に一時記憶する。なお、ＳＯＣ値と残燃料量は、車両の走行や車両に搭載された設備の利用などによって変化するため、随時更新される。
【００３１】
そして、地図描画部２９は、車両の現在位置周辺に相当する地図をディスプレイ３７に出力することにより、ディスプレイ３７に現在位置から目的地までの経路を地図画面と共に表示させる。なお、本実施形態のディスプレイ３７は、画像の表示と入力操作が可能なタッチパネルであって、ボタン３６と同様に入力手段としても機能している。
【００３２】
制御部３０は、経路探索部２７が探索した経路を取得すると共に、地図描画部２９を制御してディスプレイ３７に地図画像と経路とを表示し、自車位置演算部２５が特定した現在位置から目的地までの経路を案内する。したがって、制御部３０は、経路取得手段としても機能している。
【００３３】
そして、記憶部３１は、内蔵ハードディスク、又は光ディスク等の外部記憶媒体である。この記憶部３１には、目的地までの経路を探索するための探索データ３９と、ディスプレイ３７に地図画面を出力するための地図描画データ４０と、リンク消費量データ４１と、道路消費量データ４２とが格納されている。
【００３４】
なお、探索データ３９は、全国を区画したメッシュ内の道路に関するデータであり、具体的には、各メッシュの識別子であるメッシュＩＤと、交差点、インターチェンジ、道路の端点等を示す要素であるノードのノードデータと、各ノードを接続する要素である道路区間としてのリンクのリンクデータとを有している。
【００３５】
また、地図描画データ４０は、全国の地図を分割したメッシュ毎に格納され、広域の地図から狭域の地図まで階層毎に分かれている。そして、地図描画データ４０は、メッシュＩＤ、背景データ、道路データ等を有している。なお、背景データは、道路、市街地、河川等を描画する描画データである。また、道路データは、道路の形状を表すデータであって、リンクデータに対応させてノード座標、形状補間点の座標、幅員、勾配、路面状態、道路種別等が記憶されている。
【００３６】
そして、図２に示すように、リンク消費量データ４１は、車両が実際に道路を走行した際に消費した消費電力量と消費燃料量が、リンク毎に記憶されている。具体的には、電気走行モード及びハイブリッド走行モードで走行した走行回数とそれぞれの走行モードで消費した消費電力量及び消費燃料量の平均とがリンクと対応付けて記憶されている。
【００３７】
次に、図２に示すリンク消費量データ４１の追加及び更新の方法について、図３に示すフローチャートに基づいて説明する。なお、この消費量記憶ルーチンは、内燃機関８もしくはモータ１８が始動されて車両が走行可能な状態になった場合に、内燃機関８及びモータ１８が止められるまで繰り返し実行される。
【００３８】
さて、図３に示すように、ステップＳ１０１において、制御部３０は、自車位置演算部２５が特定した車両の現在位置を取得するとともに、ステップＳ１０２において、現在位置と探索データ３９とに基づいて車両が位置しているリンクを取得する。
【００３９】
そして、ステップＳ１０３において、制御部３０は、リンクが変更になったか否かを判断する。具体的には、車両が同じリンクを走行している間は、先に取得しているリンクと、今回取得したリンクとが変わらないため（ステップＳ１０３：ＮＯ）、制御部３０はステップＳ１０１〜Ｓ１０３を繰り返し実行する。一方、例えば車両が交差点（ノード）を通過した場合には、リンクが変更になるため（ステップＳ１０３：ＹＥＳ）、ステップＳ１０４において、制御部３０は、残量管理部２８に記憶された残燃料量を取得する。さらに、ステップＳ１０５において、制御部３０は、残量管理部２８に記憶された残電力量（ＳＯＣ値）を取得する。なお、このとき取得した残燃料量と残電力量は、先に走行していたリンクの走行終了時及び次に走行するリンクの走行開始時の残燃料量と残電力量とに相当する。
【００４０】
そして、続くステップＳ１０６以降のステップにおいて、制御部３０は、取得した残燃料量と残電力量とに基づいて、先のリンクを走行するために消費した消費燃料量と消費電力量とを算出し、リンク消費量データ４１を更新もしくは追加する。
【００４１】
具体的には、ステップＳ１０６において、制御部３０は、先のリンクを走行するために使用した燃料量がゼロであるか否かを判断する。すなわち、制御部３０は、先のリンクの走行開始時に取得していた残燃料量と、先のリンクの走行終了時に取得した残燃料量とを比較する。そして、双方の残燃料量が同じである場合には、使用した燃料量がゼロとなるため（ステップＳ１０６：ＹＥＳ）、制御部３０は、車両が先のリンクを内燃機関８を使用しない電気走行モードで走行したと判断する。
【００４２】
続くステップＳ１０７において、制御部３０は、先のリンクに対応する電気走行モードの走行回数を１つ増加させるように更新する。また、車両がリンクを初めて走行した場合には、リンク消費量データ４１に走行したリンクに対応するデータが記憶されていないため、新たにデータを作成する。
【００４３】
さらに、ステップＳ１０８において、制御部３０は、先のリンクの走行開始時に取得していた残電力量と先のリンクの走行終了時に取得した残電力量との差を、先のリンクの走行によって消費した消費電力量として算出し、電気走行モードの消費電力量を更新する。具体的には、電気走行モードに対応付けて記録されていた走行回数及び消費電力量、さらに算出した消費電力量に基づいて、消費電力量を平均値で更新する。
【００４４】
一方、ステップＳ１０６において、使用した燃料量がゼロではない場合には（ステップＳ１０６：ＮＯ）、制御部３０は、車両が先のリンクをハイブリッド走行モードで走行したものと判断する。そして、ステップＳ１０９において、制御部３０は、先のリンクに対応するハイブリッド走行モードの走行回数を１つ増加させるように更新する。また、車両がリンクを初めて走行した場合には、リンク消費量データ４１に走行したリンクに対応するデータが記憶されていないため、新たにデータを作成する。
【００４５】
さらに、ステップＳ１１０において、制御部３０は、先のリンクの走行開始時に取得した残燃料量と先のリンクの走行終了時に取得した残燃料量との差を、先のリンクを走行した際に消費した消費燃料量として算出し、ハイブリッド走行モードの消費燃料量を更新する。具体的には、ハイブリッド走行モードに対応付けて記憶されていた走行回数及び消費燃料量、さらに算出した消費燃料量に基づいて、消費燃料量を平均値で更新する。
【００４６】
続いて、ステップＳ１１１において、制御部３０は、先のリンクの走行開始時に取得した残電力量と先のリンクの走行終了時に取得した残電力量との差を、先のリンクの走行によって消費した消費電力量として算出し、ハイブリッド走行モードの消費電力量を更新する。具体的には、ハイブリッド走行モードに対応付けて記録されていた走行回数及び消費電力量、さらに算出した消費電力量に基づいて消費電力量を平均値で更新し、消費量記憶ルーチンを終了する。
【００４７】
また、道路消費量データ４２は、図６に示すように車両が走行する道路種別と対応付けて単位距離あたりに消費する消費電力量及び消費燃料量が記憶されている。具体的には、高速道路と一般道路を、それぞれ電気走行モードで走行した場合の消費電力量（Ｅ１，Ｅ２）と、ハイブリッド走行モードで走行した場合の消費燃料量（Ｆ１，Ｆ２）とがそれぞれ記憶されている。なお、この消費電力量と消費燃料量は、車種ごとに予め設定されて記憶されている。
【００４８】
次に、使用者にバッテリ１４の充電を案内する充電案内ルーチン（エネルギー源管理方法）を、図４に示すフローチャートに基づいて説明する。なお、この充電案内ルーチンは、使用者がボタン３６を操作して目的地を入力した場合に実行される。
【００４９】
まず、ステップＳ２０１において、制御部３０は、残量管理部２８に記憶された残電力量（ＳＯＣ値）を取得する（残電力量取得段階）。さらに、ステップＳ２０２において、制御部３０は、残量管理部２８に記憶された残燃料量を取得する（残燃料量取得段階）。したがって、制御部３０は、残電力量取得手段及び残燃料量取得手段としても機能している。そして、ステップＳ２０３において、制御部３０は、経路探索部２７が探索した現在位置から目的地までの経路を取得する。
【００５０】
続くステップＳ２０４において、制御部３０は、想定消費燃料量算出ルーチンを実行し、車両がステップＳ２０３において取得した経路に沿って目的地まで走行する場合に消費するであろうと想定される想定消費燃料量を算出する。また、ステップＳ２０５において、制御部３０は、ステップＳ２０２において取得した残燃料量と、ステップＳ２０４において算出した想定消費燃料量とに基づいて、目的地まで走行する場合に必要になるであろうと想定される想定補給燃料量を算出する。具体的には、想定消費燃料量から残燃料量を引いた値が想定補給燃料量となる。
【００５１】
さらに、ステップＳ２０６において、制御部３０は、地図描画部２９を制御し、算出した想定補給燃料量と想定消費燃料量とを、目的地までの走行する際に必要となる補給燃料量及び消費燃料量としてディスプレイ３７に表示する。なお、想定消費燃料量と想定補給燃料量は、現段階でバッテリ１４に蓄電されている残電力量に基づいて算出されているため、制御部３０は、充電時間をゼロ時間と表示する。そして、このとき制御部３０は、充電時間、想定補給燃料量、想定消費燃料量を数値で表示するとともに、使用者がディスプレイ３７にタッチすることにより各数値を変更可能な変更ボタン４４と、充電案内を終了する終了ボタン４５とをディスプレイ３７に表示する（図７参照）。
【００５２】
その後、ステップＳ２０７〜ステップＳ２１９において、制御部３０は、使用者による変更ボタン４４及び終了ボタン４５の操作に基づいてディスプレイ３７の表示を更新する。
【００５３】
すなわち、まずステップＳ２０７において、制御部３０は、使用者により変更ボタン４４が操作されて充電時間が変更されたか否かを判定する。そして、充電時間が変更されたと判定した場合には（ステップＳ２０７：ＹＥＳ）、次のステップＳ２０８において、制御部３０は、変更された充電時間を充電許容時間として取得する（充電許容時間取得段階）。したがって、制御部３０は、充電許容時間取得手段としても機能している。
【００５４】
そして、ステップＳ２０９において、制御部３０は、充電許容時間だけバッテリ１４が充電された場合に、車両が目的地まで走行する場合に必要となる必要補給燃料量を、残電力量と残燃料量と充電許容時間とに基づいて算出する（必要補給燃料量算出段階）。したがって、制御部３０は、必要補給燃料量算出手段としても機能している。さらに、ステップＳ２１０において、制御部３０は、充電許容時間だけバッテリ１４が充電された場合に、車両が目的地まで走行する場合に必要となる必要消費燃料量を算出する。
【００５５】
具体的には、１時間の充電によって増加する車両の走行距離がＡｋｍ、１Ｌ（リットル）の燃料での走行距離（燃費）がＢｋｍである場合には、１時間の充電によってＡ／ＢＬ（リットル）の燃料の消費を抑制することができる。したがって、例えば使用者が変更ボタン４４を操作して充電時間を１時間増加させた場合には、必要補給燃料量はＡ／ＢＬ（リットル）だけ減少する。同様に、必要消費燃料量もＡ／ＢＬ（リットル）だけ減少する。
【００５６】
その後、再びステップＳ２０６へ移行し、制御部３０は、地図描画部２９を制御することにより、ディスプレイ３７に表示された充電時間、補給燃料量、消費燃料量を更新する。すなわち、制御部３０は、充電時間を充電許容時間として取得した値に変更すると共に、補給燃料量及び消費燃料量をそれぞれ必要補給燃料量、必要消費燃料量として算出した値に変更し、必要補給燃料量及び必要消費燃料量を報知させる（報知制御段階）。したがって、制御部３０は、報知部としてのディスプレイ３７に必要補給燃料量を報知させる報知制御手段としても機能している。
【００５７】
一方、先のステップＳ２０７において、充電時間は変更されないと判定した場合（ステップＳ２０７：ＮＯ）、制御部３０は、その処理をステップＳ２１１に移行する。そして、このステップＳ２１１において、制御部３０は、使用者により変更ボタン４４が操作されて補給燃料量が変更されたか否かを判定する。そして、補給燃料量が変更されたと判定した場合には（ステップＳ２１１：ＹＥＳ）、次のステップＳ２１２において、制御部３０は、変更された補給燃料量を補給許容燃料量として取得する。したがって、制御部３０は、補給許容燃料量取得手段としても機能している。
【００５８】
そして、ステップＳ２１３において、制御部３０は、目的地まで走行する際に必要な必要補給燃料量を補給許容燃料量以下とするために必要な必要充電時間を、残電力量と残燃料量と補給許容燃料量とに基づいて算出する。したがって、制御部３０は、必要充電時間算出手段としても機能している。さらに、ステップＳ２１４において、制御部３０は、目的地まで走行する際に必要な必要補給燃料量を補給許容燃料量とした場合の必要消費燃料量を算出する。
【００５９】
ここで、必要充電時間は、想定補給燃料量と補給許容燃料量との差の燃料量によって走行可能な距離を、モータ１８のみを用いて走行が可能となるだけの時間である。すなわち、１時間の充電によって増加する車両の走行距離がＡｋｍ、１Ｌ（リットル）の燃料での走行距離（燃費）がＢｋｍ、想定補給燃料量と補給許容燃料量との差がＣＬ（リットル）である場合には、Ｂ×Ｃ／Ａ時間となる。また、必要補給燃料量は、必要消費燃料量と残燃料量との差である。したがって、必要消費燃料量は、補給許容燃料量と残燃料量との合計となり、例えば使用者が変更ボタン４４を操作して補給燃料量を１Ｌ（リットル）減少させた場合には、必要補給燃料量も１Ｌ（リットル）減少する。
【００６０】
その後、再びステップＳ２０６へ移行し、制御部３０は、地図描画部２９を制御することにより、ディスプレイ３７に表示された充電時間、補給燃料量、消費燃料量を更新する。すなわち、制御部３０は、充電時間及び消費燃料量を必要充電時間及び必要消費燃料量として算出した値に変更すると共に、補給燃料量を補給許容燃料量として取得した値に変更し、必要充電時間及び必要消費燃料量を報知させる（報知制御段階）。したがって、制御部３０は、報知部としてのディスプレイ３７に必要充電時間を報知させる報知制御手段としても機能している。
【００６１】
一方、先のステップＳ２１１において、補給燃料量は変更されないと判定した場合（ステップＳ２１１：ＮＯ）、制御部３０は、その処理をステップＳ２１５に移行する。そして、このステップＳ２１５において、制御部３０は、使用者により変更ボタン４４が操作されて消費燃料量が変更されたか否かを判定する。そして、消費燃料量が変更されたと判定した場合には（ステップＳ２１５：ＹＥＳ）、次のステップＳ２１６において、制御部３０は、変更された消費燃料量を消費許容燃料量として取得する（消費許容燃料量取得段階）。したがって、制御部３０は、消費許容燃料量取得手段としても機能している。
【００６２】
そして、ステップＳ２１７において、制御部３０は、目的地まで走行する際に必要な必要消費燃料量を消費許容燃料量以下とするために必要な必要充電時間を、残電力量と消費許容燃料量とに基づいて算出する（必要充電時間算出段階）。したがって、制御部３０は、必要充電時間算出手段としても機能している。さらに、ステップＳ２１８において、制御部３０は、目的地まで走行する際に必要な必要消費燃料量を消費許容燃料量とするために必要な必要補給燃料量を算出する。
【００６３】
ここで、必要充電時間は、想定消費燃料量と消費許容燃料量との差の燃料量によって走行可能な距離を、モータ１８のみを用いて走行が可能となるだけの時間である。すなわち、１時間の充電によって増加する車両の走行距離がＡｋｍ、１Ｌ（リットル）の燃料での走行距離（燃費）がＢｋｍ、想定消費燃料量と消費許容燃料量との差がＤＬ（リットル）である場合には、Ｂ×Ｄ／Ａ時間となる。また、必要補給燃料量は、必要消費燃料量と残燃料量との差であるため、例えば使用者が変更ボタン４４を操作して消費燃料量を１Ｌ（リットル）減少させた場合には、必要補給燃料量も１Ｌ（リットル）減少する。
【００６４】
その後、再びステップＳ２０６へ移行し、制御部３０は、地図描画部２９を制御することにより、ディスプレイ３７に表示された充電時間、補給燃料量、消費燃料量を更新する。すなわち、制御部３０は、充電時間及び補給燃料量を必要充電時間及び必要補給燃料量として算出した値に変更すると共に、消費燃料量を消費許容燃料量として取得した値に変更し、必要充電時間及び必要補給燃料量を報知させる（報知制御段階）。したがって、制御部３０は、報知部としてのディスプレイ３７に必要充電時間及び必要補給燃料量を報知させる報知制御手段としても機能している。
【００６５】
一方、先のステップＳ２１５において、消費燃料量は変更されないと判定した場合（ステップＳ２１５：ＮＯ）、制御部３０は、その処理をステップＳ２１９に移行する。そして、このステップＳ２１９において、制御部３０は、表示終了のために使用者により終了ボタン４５が操作されたか否かを判定する。そして、終了ボタン４５は操作されないと判定した場合には（ステップＳ２１９：ＮＯ）、再びステップＳ２０７へ移行し、このステップ２０７以降の処理を繰り返す。その一方、ステップＳ２１９において、使用者により終了ボタン４５が操作されたと判定した場合（ステップＳ２１９：ＹＥＳ）、制御部３０は、本充電案内ルーチンを終了する。
【００６６】
次に、先のステップＳ２０４における想定消費燃料量算出ルーチンについて、図５に示すフローチャートに基づいて説明する。なお、現在位置から目的地までの経路を構成するリンクは特定されているものとする。
【００６７】
さて、本ルーチンの処理が開始されると、まずステップＳ３０１において、制御部３０は、経路を構成するリンクのうち、現在位置と隣り合うリンクを取得し、ステップＳ３０２において、取得したリンクの電気走行モードがリンク消費量データ４１に記憶されているか否かを判断する。
【００６８】
そして、電気走行モードがリンク消費量データ４１に記憶されていると判定した場合には（ステップＳ３０２：ＹＥＳ）、ステップＳ３０３において、制御部３０は、取得したリンクに対応する電気走行モードの消費電力量を取得する。
【００６９】
一方、取得したリンクの電気走行モードがリンク消費量データ４１に記憶されていないと判定した場合には（ステップＳ３０２：ＮＯ）、ステップＳ３０４において、制御部３０は、道路消費量データ４２（図６参照）に基づいてリンクを電気走行モードで走行する際に消費する消費電力量を算出する。
【００７０】
すなわち、ステップＳ３０４において、制御部３０は、まず地図描画データ４０に基づいてリンクの道路種別と距離とを判断し、リンクの距離に道路種別と対応する消費電力量を掛けることによって、リンクを走行する際に消費する消費電力量を算出する。具体的には、例えばＧｋｍの一般道路を走行する場合の消費電力量は、Ｇ×Ｅ２ｋＷｈとなる。
【００７１】
そして、ステップＳ３０５において、制御部３０は、ステップＳ３０３もしくはステップＳ３０４において取得（算出）した消費電力量を先に取得していた消費電力量と加算する。なお、初めて消費電力量を加算する場合には、先に取得していた消費電力量がゼロであるため、取得した消費電力量と加算後の消費電力量は同じ値となる。
【００７２】
続くステップＳ３０６において、制御部３０は、加算後の消費電力量と残電力量との差が、充電閾値以下であるか否かを判断する。なお、充電閾値とは、車両の走行モードを切り替える際に基準となる閾値であって、ハイブリッド走行モードにおいて使用する電力量や車載設備の使用によって消費される電力量、及びバッテリ１４の劣化を考慮して予め設定されている値である。そして、本実施形態では、車両は、残電力量が充電閾値以上である場合には電気走行モードで走行し、残電力量が充電閾値未満である場合にはハイブリッド走行モードで走行するようになっている。
【００７３】
そのため、消費電力量と残電力量との差が充電閾値よりも大きい場合には（ステップＳ３０６：ＮＯ）、制御部３０は、今までに消費電力量を取得したリンクを電気走行モードで走行できると判断し、再びステップＳ３０１に移行する。そして、このステップＳ３０１において、制御部３０は、経路を構成するリンクのうち、今までに消費電力量を取得したリンクよりも目的地側に位置する次のリンクを取得し、既述したステップＳ３０２〜ステップＳ３０５の処理を再び実行して消費電力量を加算する。したがって、制御部３０は、経路を構成するリンクの消費電力量を現在位置側から順次加算し、加算した消費電力量と残電力量との差が充電閾値以下となるまで、ステップＳ３０１〜ステップＳ３０６を繰り返し実行することになる。
【００７４】
そして、残電力量と消費電力量との差が充電閾値以下になったと判定した場合には（ステップＳ３０６：ＹＥＳ）、制御部３０は、加算された消費電力量と対応するリンクの直前のリンクまでを電気走行モードで走行可能なリンクであると判断する。その一方、制御部３０は、目的地までの経路において、電気走行モードで走行不可能なリンクをハイブリッド走行モードで走行するリンクであると判断する。
【００７５】
続いて、ステップＳ３０７において、制御部３０は、ハイブリッド走行モードで走行するリンクを取得し、ステップＳ３０８において、取得したリンクのハイブリッド走行モードが記憶されているか否かを判断する。
【００７６】
そして、ハイブリッド走行モードがリンク消費量データ４１に記憶されていると判定した場合には（ステップＳ３０７：ＹＥＳ）、ステップＳ３０９において、制御部３０は、取得したリンクに対応するハイブリッド走行モードの消費燃料量を取得する。
【００７７】
一方、取得したリンクのハイブリッド走行モードがリンク消費量データ４１に記憶されていないと判定した場合には（ステップＳ３０８：ＮＯ）、ステップＳ３１０において、制御部３０は、道路消費量データ４２に基づいてリンクをハイブリッド走行モードで走行する際に消費する消費燃料量を算出する。具体的には、制御部３０は、まず地図描画データ４０に基づいて取得したリンクの道路種別と距離とを判断し、リンクの距離に道路種別と対応する道路消費量データ４２の消費燃料量を掛けることによって、リンクを走行する際に消費する消費燃料量を算出する。
【００７８】
そして、ステップＳ３１１において、制御部３０は、ステップＳ３０９もしくはステップＳ３１０において取得（算出）した消費燃料量を先に取得していた消費燃料量と加算して推定消費燃料量を算出する。なお、初めて消費燃料量を加算する場合には、先に取得していた消費燃料量がゼロであるため、取得した消費燃料量と加算後の消費燃料量は同じ値となる。
【００７９】
続くステップＳ３１２において、制御部３０は、ハイブリッドモードで走行する全てのリンクの消費燃料量を加算したか否かを判断し、加算していないと判定した場合には（ステップＳ３１２：ＮＯ）、再びステップＳ３０７に移行して加算していないリンクを取得する。そして、制御部３０は、ハイブリッド走行モードで走行するリンクの消費燃料量を全て加算するまで、再びステップＳ３０７〜ステップＳ３１２を繰り返し実行する。なお、ハイブリッド走行モードで走行するリンクにおける消費燃料量の積算値が、車両が目的地まで走行する際に必要となると想定される想定消費燃料量となる。その一方、ステップＳ３１２において、全てのリンクの消費燃料量を加算したと判定した場合（ステップＳ３１２：ＹＥＳ）、制御部３０は、本想定消費燃料量算出ルーチンを終了する。
【００８０】
次に、使用者が目的地を入力した場合に充電の必要性を案内するナビゲーションシステム１２の作用について説明する。ただし、本実施形態では、１時間の充電によって走行可能となる距離と、１Ｌの燃料によって走行可能な距離が同じである場合を例に以下説明する。
【００８１】
さて、使用者がボタン３６を操作して目的地を入力すると、図７（ａ）に示すように、ディスプレイ３７には、現在位置から目的地までの経路が、現在位置を示すアイコン４７と目的地を示すアイコン４８と共に表示される。また、このとき経路は、電気走行モードで走行する区間５０と、ハイブリッド走行モードで走行する区間５１とが色分け（図７では線種分け）表示されている。
【００８２】
また、ディスプレイ３７には、地図と共に充電時間が０時間である場合の、想定補給燃料量と想定消費燃料量とが補給燃料量及び消費燃料量として表示される。また、充電時間、補給燃料量、消費燃料量の右側には、それぞれの数値を変更可能な変更ボタン４４が、表示されている。具体的には、図７（ａ）に示すように、操作可能な変更ボタン４４は網掛け表示で表され、操作不能な変更ボタン４４は白抜きで表示される。そして、網掛け表示された変更ボタン４４を使用者がタッチすると、対応する充電時間、補給燃料量、消費燃料量がそれぞれ変更される。
【００８３】
具体的には、例えば使用者が充電時間に対応する変更ボタン４４をタッチして、充電時間を１時間ずつ増加させる操作をした場合には、補給燃料量と消費燃料量とが１Ｌずつ減少し、例えば充電時間を５時間分増加させた場合を例示する図７（ｂ）に示すように、すべての変更ボタン４４が操作可能となる。そのため、この状態において、使用者が充電時間を１時間ずつ減少させる操作を５回した場合には図７（ａ）に示す状態に戻るのに対し、使用者がさらに充電時間を１時間ずつ増加させる操作をした場合には、補給燃料量と消費燃料量はさらに１Ｌずつ減少する。
【００８４】
また、使用者が補給燃料量を１Ｌ減少させる操作をした場合には、充電時間が１時間増加すると共に、消費燃料量が１Ｌ減少する。同様に、消費燃料量を１Ｌ減少させる操作をした場合には、充電時間が１時間増加すると共に、補給燃料量が１Ｌ減少する。
【００８５】
したがって、図７（ｂ）に示すように、充電時間が５時間分となるような操作がされた場合には、ディスプレイ３７には補給燃料量及び消費燃料量がそれぞれ５Ｌずつ減少した値が充電時間と共に表示される。すなわち、充電時間に対する補給燃料量及び消費燃料量を使用者が視認できるようになる。
【００８６】
さらに、このように充電時間、補給燃料量、消費燃料量のいずれかが変更された場合には、その変化量に合わせて地図に表示された電気走行モードで走行する区間５０と、ハイブリッド走行モードで走行する区間５１とが変更されるようになる。
【００８７】
上記実施形態によれば、以下のような効果を得ることができる。
（１）車両が目的地まで走行する際に必要な必要補給燃料量を補給燃料量としてディスプレイ３７に表示することができる。そして、この必要補給燃料量は、変更ボタン４４が操作されて入力された充電許容時間だけバッテリ１４が充電された場合に補給が必要となる燃料の量であるため、使用者は、希望する充電時間に対してどれくらいの燃料の補給が必要になるかを確認することができる。すなわち、予め使用者に対して必要補給燃料量を報知することができるため、使用者に意図しない燃料の補給を強いる虞を低減することができ、ハイブリッド車における電力と燃料の両方の使用を考慮した支援が可能となる。
【００８８】
（２）消費許容燃料量が入力された場合には、車両が目的地まで走行する際に必要な必要消費燃料量を消費許容燃料量以下とするために必要な必要充電時間をディスプレイ３７に表示させることができる。すなわち、使用者は、希望する消費許容燃料量に対してどれくらいの充電が必要になるかを確認することができるため、利便性を向上させることができる。
【００８９】
（３）道路消費量データ４２を用いることにより、単位距離あたりに消費する電力量及び燃料量に基づいて必要充電時間、必要補給燃料量、必要消費燃料量を容易に算出することができる。また、道路消費量データ４２には、消費する電力量及び燃料量が道路種別と対応付けて記憶されているため、道路種別と関係なく消費する電力量及び燃料量を記憶している場合と比べて算出される必要充電時間、必要補給燃料量、必要消費燃料量の信頼性を向上させることができる。
【００９０】
（４）リンク消費量データ４１にリンク毎に記憶された車両の走行に伴って消費する電力量及び燃料量に基づいて必要充電時間、必要補給燃料量、必要消費燃料量を算出することにより、車両が目的地まで走行する際に必要な必要充電時間、必要補給燃料量、必要消費燃料量の信頼性をより向上させることができる。
【００９１】
（５）車両が目的地まで走行する際に必要な必要消費燃料量を使用者が入力した消費許容燃料量以下とするために必要な必要充電時間をディスプレイ３７に表示することができる。したがって、使用者は、車両を目的地まで走行させる前に、自らが希望する消費許容燃料量に合わせた充電を実施することができるため、ハイブリッド車における電力と燃料の両方の使用を考慮した支援が可能となる。
【００９２】
（６）車両が目的地まで走行する際に必要となる必要補給燃料量を使用者が入力した補給許容燃料量以下とするために必要な必要充電時間をディスプレイ３７に表示することができる。すなわち、使用者は、補給許容燃料量か消費許容燃料量のいずれかを入力することによって必要な必要充電時間を知ることができるため、利便性を向上させることができる。
【００９３】
なお、上記実施形態は以下のように変更してもよい。
・上記実施形態において、リンク消費量データ４１を記憶せずに、全てのリンクについて道路消費量データ４２に基づいて想定補給燃料量、想定消費燃料量を算出するようにしてもよい。また、リンク消費量データ４１は、気象条件や時間帯、混雑状態、車載設備の使用状態などに基づいて実際に消費した消費電力量及び消費燃料量を補正して記憶させるようにしてもよい。また、リンク消費量データ４１に基づいて必要充電時間、必要補給燃料量、必要消費燃料量を算出する際に、気象条件や時間帯、混雑状態、車載設備の使用状態などを考慮するようにしてもよい。
【００９４】
・上記実施形態において、道路消費量データ４２は、道路種別とは関係なく、単位距離あたりに消費する電力量と燃料量とを記憶させておいてもよい。また、単位電力量あたりに走行可能な距離（電費）及び単位燃料量あたりに走行可能な距離（燃費）を道路消費量データ４２として記憶させておき、リンクの距離を道路消費量データ４２で割ることによってリンクを走行する際に消費する消費燃料量及び消費電力量を算出してもよい。
【００９５】
・上記実施形態において、道路消費量データ４２として記憶しておく消費電力量及び消費燃料量は、道路種別に限らずに道路の幅員や制限速度、勾配、車線数、道路の形状（カーブの有無など）などに応じて種別分けをしてもよい。
【００９６】
・上記実施形態において、想定消費燃料量は、同じ種類の道路をまとめて計算することにより算出してもよい。具体的には、例えば経路が全て一般道路である場合には、制御部３０は、残電力量と充電閾値との差分を一般道路の消費電力量（図６ではＥ２ｋＷｈ／ｋｍ）で割ることにより、電力走行モードで走行が可能な距離を算出する。そして、制御部３０は、経路における電気走行モードで走行不能な距離をハイブリッド走行モードで走行する距離であると判断し、この距離に一般道路の消費燃料量（図６ではＦ２Ｌ／ｋｍ）を掛けることにより、想定消費燃料量を算出するようにしてもよい。
【００９７】
・上記実施形態において、ディスプレイ３７に表示する消費燃料量と補給燃料量は、何れか一方のみを表示させてもよく、また、使用者が表示する項目を選択できるようにしてもよい。
【００９８】
・上記実施形態において、ディスプレイ３７に充電時間、補給燃料量、消費燃料量を表示する前に、利用者に充電許容時間、補給許容燃料量、消費許容燃料量の何れかを入力させ、入力された結果に基づいて充電時間、補給燃料量、消費燃料量をディスプレイ３７に表示するようにしてもよい。この場合には、想定消費燃料量と想定補給燃料量とを算出しなくてもよい。すなわち、入力された充電許容時間、補給許容燃料量、消費許容燃料量の何れかと、リンク消費量データ４１もしくは道路消費量データ４２とに基づいて必要充電時間、必要補給燃料量、必要消費燃料量を直接算出するようにしてもよい。
【００９９】
・上記実施形態において、現在位置と目的地と出発時の残電力量と目的地までの走行に伴って消費した消費燃料量とを記憶し、次回以降の走行において、現在位置と目的地と出発時の残電力量が一致した場合には、対応付けて記憶されている消費燃料量を必要消費燃料量として取得するようにしてもよい。
【０１００】
具体的には、目的地が入力された際に、現在位置と目的地と残電力量が一致すると見做せるデータが記憶されているか否かを判断し、一致するデータがあれば消費燃料量を必要消費燃料量として取得する。一方、一致するデータがなければ、制御部３０は、現在位置（出発時）における残電力量と残燃料量とを取得して一時記憶し、さらに車両が目的地に到達した際（到達時）に残燃料量を取得する。そして、残燃料量の差分が目的地までの走行に伴って消費した消費燃料量となるため、現在位置と目的地と出発時における残電力量に対応付けて記憶する。
【０１０１】
このように消費燃料量を記憶しておくことにより、実際の走行に伴って消費した消費燃料量を取得することができるため、信頼性の高い消費燃料量を容易に取得することができる。また、このように現在位置（地点）を記憶している場合には、記憶されている地点で車両が停止した際に、次回の走行で目的地まで走行すると推定して必要補給燃料量、必要消費燃料量を報知してもよい。
【０１０２】
・上記実施形態において、ハイブリッド車は、例えば道路の走行条件に合わせて電気走行モードとハイブリッド走行モードとを切り替えるようにしてもよい。すなわち、例えば、目的地までの経路において渋滞が予想される区間を電気走行モードで走行するように走行計画を作成してもよい。ただし、この走行計画は、目的地に到達する前にバッテリ１４の残電力量が充電閾値となるように作成されるのが好ましい。このような走行計画に従って走行する場合であっても、目的地までの走行に必要な必要消費燃料量は、残電力量が充電閾値以下となるまで電気走行モードで走行する場合と同程度となる。
【０１０３】
・上記実施形態において、使用する充電設備と対応付けて単位充電時間当たりの走行可能距離を記憶させておき、例えば充電時間を表示する際に使用する充電設備を選択させてもよい。すなわち、単位充電時間あたりの走行可能となる距離は、電源の大きさ（例えば２００Ｖ，１００Ｖ）や急速充電器の使用などによって変化する。そのため、充電設備を考慮した充電案内を行うことにより、より利便性を向上させることができる。
【０１０４】
・上記実施形態において、エネルギー源管理装置は、車両外に持ち運び可能なポータブル装置、パソコン、携帯電話やスマートフォンや、これらの端末と通信可能なサーバとしてもよい。
【０１０５】
例えば、パソコンや携帯電話の場合には、車両と無線もしくは有線を用いて通信可能な状態で車両から出力された残電力量と残燃料量を取得すると共に、サーバや内臓ソフトにより目的地までの経路を取得する。そして、キーボードなどのボタン（入力手段）が利用者によって操作され、充電許容時間、消費許容燃料量、補給許容燃料量の何れかが入力されると、必要充電時間、必要消費燃料量、必要補給燃料量を算出してディスプレイ（報知部）に表示（報知）する。またこの場合には、目的地、経路、充電時間を設定した後、これらのデータを車両へ出力するようにしてもよい。
【０１０６】
さらに、エネルギー源管理装置がサーバである場合には、車両から残電力量、残燃料量を取得する。さらに、充電許容時間、消費許容燃料量、補給許容燃料量の何れかと、目的地とを端末から取得する。そして、必要充電時間、必要消費燃料量、必要補給燃料量を算出して端末に出力することにより、端末のディスプレイ（報知部）に必要充電時間、必要消費燃料量、必要補給燃料量を表示（報知）させる。
【符号の説明】
【０１０７】
７…燃料タンク、８…内燃機関、１２…ナビゲーションシステム（エネルギー源管理装置）、１４…バッテリ（蓄電池）、１８…モータ、３０…制御部（残電力量取得手段、残燃料量取得手段、充電許容時間取得手段、補給許容燃料量取得手段、消費許容燃料量取得手段、必要充電時間算出手段、必要補給燃料量算出手段、報知制御手段、経路取得手段）、３１…記憶部（記憶手段）、３６…ボタン（入力手段）、３７…ディスプレイ（入力手段、報知部）。
【図１】
2012136042.tif 000003
【図２】
2012136042.tif 000004
【図３】
2012136042.tif 000005
【図４】
2012136042.tif 000006
【図５】
2012136042.tif 000007
【図６】
2012136042.tif 000008
【図７】
2012136042.tif 000009